(57)【特許請求の範囲】
【請求項１】
原稿読み取り面が垂直の状態で原稿が読み取り可能な画像読取装置のアーム式原稿押さえ機構であって、
前記画像読取装置は装置本体の一面に設けられた原稿読み取り用の長方形のガラスと、該ガラスの周辺部を上側から押さえて固定させるための長方形の窓を有するカバーとを備え、
前記アーム式原稿押さえ機構は細長い板状のアームから構成され、該アームは前記ガラス上で該アームの一端を支点として回転可能であり、格納時には前記カバーの窓側の長辺に接して収納されるように、前記支点が該カバーのコーナー部に係止されていることを特徴とする画像読取装置のアーム式原稿押さえ機構。
【請求項２】
前記アームの厚さは前記カバーの厚さと近似しており、格納時には該アームは前記カバーの窓側の長辺に設けられた該アームとほぼ同形の切欠き部に収納される、請求項１に記載の画像読取装置のアーム式原稿押さえ機構。
【請求項３】
前記アームの材質が透明なアクリロニトリル−ブタジェン−スチレン樹脂（ＡＢＳ）である、請求項１または請求項２に記載の画像読取装置のアーム式原稿押さえ機構。
【請求項４】
前記アームの前記支点は該アームの一端に設けられた厚さの薄い部分上に形成された楕円形状の軸であり、前記アームの前記厚さの薄い部分が挿入可能に前記カバーのコーナー部に形成された厚さの薄い部分に設けられた円形の孔部に前記軸が挿入され、前記円形の孔部の内径は前記楕円形の軸の長径と密に嵌合可能な寸法となっており、前記アームの回転には抵抗を有する、請求項１または請求項２に記載の画像読取装置のアーム式原稿押さえ機構。
【請求項５】
前記アームの支点とは反対側の端部の、前記ガラスと反対の面には該アームを移動させるためのつまみを有する、請求項１から請求項４の何れか１項に記載の画像読取装置のアーム式原稿押さえ機構。
【請求項６】
前記アームの支点と反対側の端部には前記カバーと取り外し可能に係止できる係止部を有する、請求項１から請求項５の何れか１項に記載の画像読取装置のアーム式原稿押さえ機構。
【請求項７】
原稿読み取り面が垂直の状態で原稿が読み取り可能な画像読取装置であって、前記請求項１から請求項６の何れか１項に記載のアーム式原稿押さえ機構を備えたことを特徴とする画像読取装置。
【発明の詳細な説明】
【０００１】
【発明の属する技術分野】
本発明は、原稿読み取り面が垂直の状態で原稿が読み取り可能な画像読取装置のアーム式原稿押さえ機構と、そのアーム式原稿押さえ機構を備えた画像読取装置に関する。
【０００２】
【従来の技術】
従来から、コンピュータ等に画像を入力する装置として、画像読取装置（イメージスキャナー）が用いられている。
【０００３】
この画像読取装置は平面的な収納スペースを節減するため、スタンドなどを使用して縦置きに収納されることがある。その状態において、原稿を読み取る場合（縦読み）、従来は図５や図６のような構造によって画像読取装置の読み取り用のガラスに原稿を押さえていた。
【０００４】
図５は、従来例の縦置きされた画像読取装置の水平部分断面図である。ドキュメントカバー５１の開閉用のヒンジと反対側の縁部のカバー５３との対向面には鉄板５２が貼り付けられ、一方カバー５３には磁石５４が設けられることにより、ドキュメントカバー５１が確実にカバー５３に対して閉まる構造となっている。また、ドキュントカバー５１の読み取り用のガラス５６に対向する内面にはクッション５５が貼り付けてあるので、カバー５３に取り付けてあるガラス５６上の原稿５７は、ドキュメントカバー５１がカバー５３に対して確実に閉まっていれば、クッション５５によりガラス５６に対してずれることはない。この鉄板５２及び磁石５４をマジックファスナーに代えて、マジックファスナーをドキュメントカバー５１やカバー５３に両面テープで貼り付けている構造もある。
【０００５】
図６は、従来例の縦置きされた画像読取装置の下部の部分側面断面図であり、カバー６３の下側の水平な原稿ガイド部６８と側面の原稿ガイド部６８とに溝６９が設けられ、縦置き時の原稿６７の原稿ガイド部６８からのずれを防止している構造である。
【０００６】
【発明が解決しようとする課題】
図５のような構造の場合、縦置きの原稿５７は垂直方向の重力を受けているので。横から抑えるドキュメントカバー５１が全体を均等に押さえないと、ずれやゆがみを起こす恐れがあり、縦置き時に原稿５７を確実にガラス５６に密着させるには、ドキュメントカバー５１の剛性および反りの規制が必要となり、技術的に特別の配慮を必要とする。また磁石５４等もかなり強力であることが必要であり、スペースやコストの問題もある。マジックファスナーの場合は、磁石５４よりはコストアップの問題は少ないが、やはりドキュメントカバー５１の剛性及び反り規制が必要となる。またデザイン的な問題やマジックファスナー自体確実な締結ができずガタが出るといった問題もある。
【０００７】
図６の構造では、原稿６７の読み取り範囲の問題もあり溝６９はどうしても浅くなってしまうので、縦置き時に原稿６７が原稿ガイド部６８から外れることに関しては有効であるが、原稿６７を確実にガラス６６に密着させることはできない。
【０００８】
本発明は、ドキュメントカバー等の剛性や反りに関係なく縦読み時の原稿を確実に押さえ、どのようなサイズの原稿であってもガラス面に密着できる画像読取装置のアーム式原稿押さえ機構と画像読取装置とを提供することを目的とする。
【０００９】
【課題を解決するための手段】
本発明の画像読取装置のアーム式原稿押さえ機構は、
原稿読み取り面が垂直の状態で原稿が読み取り可能な画像読取装置のアーム式原稿押さえ機構であって、画像読取装置は装置本体の一面に設けられた原稿読み取り用の長方形のガラスと、そのガラスの周辺部を上側から押さえて固定させるための長方形の窓を有するカバーとを備え、アーム式原稿押さえ機構は細長い板状のアームから構成され、そのアームはガラス上でそのアームの一端を支点として回転可能であり、格納時にはカバーの窓側の長辺に接して収納されるように、支点がそのカバーのコーナー部に係止されている。
【００１０】
アームの厚さはカバーの厚さと近似しており、格納時にはそのアームはカバーの窓側の長辺に設けられたそのアームとほぼ同形の切欠き部に収納されることが好ましい。
【００１１】
また、アームの材質が透明なアクリロニトリル−ブタジェン−スチレン樹脂（ＡＢＳ）であってもよく、アームの支点はそのアームの一端に設けられた厚さの薄い部分上に形成された楕円形状の軸であり、アームの厚さの薄い部分が挿入可能にカバーのコーナー部に形成された厚さの薄い部分に設けられた円形の孔部に軸が挿入され、円形の孔部の内径は楕円形の軸の長径と密に嵌合可能な寸法となっており、アームの回転には抵抗を有してもよく、アームの支点とは反対側の端部の、ガラスと反対の面にはそのアームを移動させるためのつまみを有していてもよく、アームの支点と反対側の端部にはカバーと取り外し可能に係止できる係止部を有してもよい。
【００１２】
本発明の画像読取装置は、
原稿読み取り面が垂直の状態で原稿が読み取り可能な画像読取装置であって、上述のアーム式原稿押さえ機構を備えることを特徴とする。
【００１３】
本発明の画像読取装置のアーム式原稿押さえ機構と画像読取装置とでは、本体と一体となった原稿押さえアームを用いることにより、ドキュメントカバー等の剛性や反りに関係なく縦読み時の原稿を確実に押さえ、またアーム自体が自由な角度で止まることができるので、どのようなサイズの原稿であってもガラス面に密着できる。
【００１４】
【発明の実施の形態】
次に、本発明の実施の形態について図面を参照して説明する。図１は本発明の実施の形態のアーム式原稿押さえ機構を搭載した画像読取装置のドキュメントカバーを除いた状態の正面図である。ここで、画像読取装置は横長となるように縦置きされており、鎖線で表示されるドキュメントカバー１１は左右に開閉される。本発明のアーム式原稿押さえ機構を搭載した画像読取装置は、図１のような構造で構成されており、カバー１３で固定された原稿読み取り用のガラス１６の下側に不図示のスキャナユニットが内蔵されており、スキャナユニットが移動しながら走査することによりガラス１６上に配置された原稿の内容が光学的に読み取られる。カバー１３の窓の周辺は原稿ガイド部１８となっている。
【００１５】
原稿押さえ用のアーム２０は、カバー１３の厚さとほぼ近似な厚さとなっており、格納時には原稿ガイド部１８も兼ねており、カバー１３にヒンジ部２１によって連結されている。また、アーム２０は、格納時にはカバー１３にアーム２０とほぼ同形に形成された切欠き部分に収納されてカバー１３と一体になり、カバー１３及びガラス１６によってつめ２３が挟まれることにより、カバー１３からの分離が防止される構造となっている。
【００１６】
図２は、図１のアーム式原稿押さえ機構を搭載した画像読取装置のアームを開いた状態の正面図であり、図３は、図１の切断線Ｍ−Ｍにおけるアーム２０のつまみ２２近傍の断面図である、
本発明のアーム２０は、つまみ２２を持つことによりヒンジ部２１を支点として自由な角度に動かすことができ、ドキュメントカバーで固定する前にガラス１６上に垂直に配置された原稿を任意の位置に保持することができる。また、アーム２０の材質は透明なＡＢＳを採用することにより、柔軟性を有し、原稿の画像への映り込みを防止する構造となっている。
【００１７】
本発明のアーム２０をカバー１３に収納する時は、つまみ２２に隣接するつめ２３をカバー１３の凹部２４に引っ掛けることにより収納され、カバー１３と締結されることとなる。
【００１８】
図４は本発明の実施の形態のアーム式原稿押さえ機構を搭載した画像読取装置のヒンジ部近傍を示す部分拡大図であり，（ａ）は上面図、（ｂ）は（ａ）の切断線Ｎ−Ｎにおける断面図である。
【００１９】
本発明のアーム２０にあるヒンジ部２１の支点は、図４に示されるような構造で構成されており、アーム２０のカバー１３が重なる部分は厚さが薄くなっており、その部分に楕円形状の軸２５が形成されており、アームの厚さが薄くなった部分を挿入するためにカバー１３に形成された厚さの薄い部分に設けられた円形の軸受け２６に軽く圧入される。円形の軸受け２６の内径は楕円形の軸２５の長径と密に嵌合可能な寸法となっており、アームの回転には抵抗を有する、これにより軸２５と軸受け２６との摩擦抵抗によって、アーム２０を自由な角度で止めることが可能となる。
【００２０】
これまで説明した実施の形態は一例であり、これに限定されるものではない。つまみ２２の位置や形状も任意に設定でき、つめ２４の構造や位置もアーム２０がカバー１３に固定される構造であればよい。ヒンジ部２１の構造もここを支点としてアーム２０が抵抗を持って回転できる構造であればよい。
【００２１】
画像読取装置を横長の縦置きとして説明したが縦長の縦置きであっても同様に機能し、横置きの場合にも例えばくせのある紙の固定前の保持に利用でき、必要のない場合は格納した状態で原稿ガイド部として使用できる。
【００２２】
【発明の効果】
以上説明したように、本発明のアーム式原稿押さえ機構を搭載した画像入力装置は、次のような効果を有する。即ち、
第１の効果は、スタンドなどにより縦置きに収納された時、アームにより縦読み時の原稿のガイド部からのズレを防止できることである。
【００２３】
第２の効果は、アームが本体と一体化されているので省スペース化が可能であり、デザイン面でも外観を損なうことがないことである。
【００２４】
第３の効果は、アームが自由な角度にて止めることが可能な構造となっているので、縦読み時に原稿サイズの小さな物まで確実に押さえ込むことが可能であることである。
【００２５】
第４の効果は、アーム自体に柔軟性のある材質を採用しているので、多少皺やカールのある原稿や写真などであっても、縦読み時には確実に押さえ込むことが可能な構造となっていることである。
【図面の簡単な説明】
【図１】本発明の実施の形態のアーム式原稿押さえ機構を搭載した画像読取装置のドキュメントカバーを除いた状態の正面図である。
【図２】図１のアーム式原稿押さえ機構を搭載した画像読取装置のアームを開いた状態の正面図である。
【図３】図１の切断線Ｍ−Ｍにおけるアームのつまみ近傍の断面図である、
【図４】本発明の実施の形態のアーム式原稿押さえ機構を搭載した画像読取装置のヒンジ部近傍を示す部分拡大図である。
（ａ）は上面図である。
（ｂ）は（ａ）の切断線Ｎ−Ｎにおける断面図である。
【図５】従来例の縦置きされた画像読取装置の水平部分断面図である。
【図６】従来例の縦置きされた画像読取装置の下部の部分側面断面図である。
【符号の説明】
１１，５１    ドキュメントカバー
１３、５３，６３    カバー
１６、５６，６６    ガラス
１８，６８    原稿ガイド部
２０    アーム
２１    ヒンジ部
２２    つまみ
２３    つめ
２４    凹部
２５    軸
２６    軸受け
５２    鉄板（磁性材料）
５４    磁石（磁性体）
５５    クッション
５７，６７    原稿
６０    筐体
６９    溝
【図１】
0003726050.tif 000002
【図２】
0003726050.tif 000003
【図３】
0003726050.tif 000004
【図４】
0003726050.tif 000005
【図５】
0003726050.tif 000006
【図６】
0003726050.tif 000007